(57)【要約】【課題】ラップフィルムを収納箱からスムーズに引き出すことができ、さらに容易にラップフィルムから引き剥がすことの可能なラップフィルム引出具を提供する。【解決手段】ラップフィルム収納箱４に収納されたラップフィルム３の引き出し側の端縁３ａに粘着させて、ラップフィルム３を引き出すラップフィルム引出具１０であって、ラップフィルム３に粘着可能な粘着板１と、粘着板１をその長手方向に沿って延びる長辺側の端縁１ａが突出するように表面及び裏面の両側から挟持する本体部２とからなる。【選択図】図１
2007015722.tif 000002
【特許請求の範囲】
【請求項１】
ラップフィルム収納箱に収納されたラップフィルムの引き出し側の端縁に粘着させて、前記ラップフィルムを引き出すラップフィルム引出具であって、
前記ラップフィルムに粘着可能な粘着板と、前記粘着板をその長手方向に沿って延びる長辺側の端縁が突出するように表面及び裏面の両側から挟持する本体部とからなることを特徴とするラップフィルム引出具。
【請求項２】
前記粘着板の前記本体部からの突出幅が前記粘着板の表面と裏面とで異なることを特徴とする請求項１に記載のラップフィルム引出具。
【請求項３】
前記粘着板の前記本体部からの突出幅を前記長辺側の端縁の至端に向けて基準幅より徐々に狭くした剥離誘導部を設けたことを特徴とする請求項１又は請求項２に記載のラップフィルム引出具。
【請求項４】
前記剥離誘導部に隣接した長手方向中央側に、前記突出幅を基準幅より広くした強粘着部を設けたことを特徴とする請求項３に記載のラップフィルム引出具。
【請求項５】
前記突出幅を広くした強粘着部と前記突出幅を狭くした弱粘着部を、長手方向に沿って交互に設けたことを特徴とする請求項３に記載のラップフィルム引出具。
【請求項６】
前記剥離誘導部に隣接した長手方向中央側において、前記粘着板の一方の面の強粘着部の裏側には他方の面の弱粘着部が位置し、前記粘着板の一方の面の弱粘着部の裏側には他方の面の強粘着部が位置することを特徴とする請求項５に記載のラップフィルム引出具。
【発明の詳細な説明】
【技術分野】
【０００１】
本発明は、ラップフィルム収納箱に収納されたラップフィルムを引き出すときに用いるラップフィルム引出具に関する。
【背景技術】
【０００２】
従来、ラップフィルムを用いて料理皿等をラッピングする場合には、ラップフィルム収納箱からラップフィルムを引き出すために、ラップフィルムの端を手でつかみ、必要な長さだけ引き出してから、収納箱に設けられた刃で切断することにより行っていた。
しかしながら、ラップフィルムの端を手でつかむ場合には中央部分のみに力が加わるため、ラップフィルムに皺が生じたり端が重なってくっ付いたりして、平面性を保った状態でスムーズに引き出すことが困難であった。
【０００３】
これに対して、ラップフィルムの幅と同じ長さで裏面に粘着剤を付着した板材を用いて、ラップフィルムを収納箱から引き出すようにした、ラップフィルム引出具の発明が開示されている（例えば、特許文献１、特許文献２参照）。
【特許文献１】実開昭６３−１０５６２９号公報
【特許文献２】実開平７−２８８４０号公報
【０００４】
図１４及び図１５は、上記従来のラップフィルム引出具の一例であるラップフィルム引出具１００の使用状態を示したものである。以下にラップフィルム引出具１００を用いて、ラップフィルム収納箱４に収納されたラップフィルム３を引き出して、料理皿等をラッピングする方法について説明する。
【０００５】
最初に、図１４に示すように、ラップフィルム３の引き出し側の端縁３ａに、ラップフィルム引出具１００の裏面を粘着させる。このとき、図１４のＣ−Ｃ断面図である図１５に示すように、ラップフィルム引出具１００の本体部１０２の裏面には粘着剤を付着した粘着層１０１が形成されており、この粘着層１０１とラップフィルム３の引き出し側の端縁３ａを粘着させる。
次に、ラップフィルム引出具１００を引っ張って、ラップフィルム３を必要な長さだけ引き出し料理皿等を覆った後、ラップフィルム収納箱４に取付けられた刃５により切断する。
最後に、ラップフィルム引出具１００をラップフィルム３から引き剥がすとともに、ラップフィルム３を料理皿等の形状に合わせて整えて、ラッピングが完了する。
【発明の開示】
【発明が解決しようとする課題】
【０００６】
しかしながら、上記従来のラップフィルム引出具１００を用いた場合には、以下のような問題が生じていた。
ラップフィルム引出具１００は、ラップフィルム３を引き出すためにある程度の粘着力が必要であるが、最後の段階でラップフィルム３から引き剥がさなければならないため、あまり粘着力が大きくてもよくない。しかし、粘着剤の違いだけで粘着力を調整しても、なかなか適度な粘着力を得ることは困難である。
【０００７】
また、特許文献１に記載された発明のように粘着剤を本体部の裏面に間隔を空けて付着させたものがあるが、これではラップフィルムを引き剥がすときにスムーズさに欠け、やぶれる可能性がある。
【０００８】
さらに、特許文献２に記載された発明のように粘着剤を本体部の裏面の両端のみに付着させたものがあるが、これでは中央部分が粘着せずに浮いた状態となり、ラップフィルムをスムーズに引き出すことができない。
【０００９】
そこで本発明は上記従来の課題を解決するためのものであり、ラップフィルムを収納箱からスムーズに引き出すことができ、さらに容易にラップフィルムから引き剥がすことの可能なラップフィルム引出具を提供するものである。
【課題を解決するための手段】
【００１０】
上記従来の課題を解決するために、請求項１に係る発明のラップフィルム引出具は、ラップフィルム収納箱（４）に収納されたラップフィルム（３）の引き出し側の端縁（３ａ）に粘着させて、前記ラップフィルム（３）を引き出すラップフィルム引出具（１０）であって、前記ラップフィルム（３）に粘着可能な粘着板（１）と、前記粘着板（１）をその長手方向に沿って延びる長辺側の端縁（１ａ）が突出するように表面及び裏面の両側から挟持する本体部（２）とからなることを特徴とする。
【００１１】
また、請求項２に係る発明は、請求項１に記載の発明において、前記粘着板（１）の前記本体部（２）からの突出幅が前記粘着板の表面と裏面とで異なることを特徴とする。
【００１２】
また、請求項３に係る発明は、請求項１又は請求項２に記載の発明において、前記粘着板（１）の前記本体部（２）からの突出幅（ＷX）を前記長辺側の端縁（１ａ）の至端に向けて基準幅（Ｗ0）より徐々に狭くした剥離誘導部（Ｘ）を設けたことを特徴とする。
【００１３】
また、請求項４に係る発明は、請求項３に記載の発明において、前記剥離誘導部（Ｘ）に隣接した長手方向中央側に、前記突出幅（ＷY）を基準幅（Ｗ0）より広くした強粘着部（Ｙ）を設けたことを特徴とする。
【００１４】
また、請求項５に係る発明は、請求項３に記載の発明において、前記突出幅（ＷP）を広くした強粘着部（Ｐ）と前記突出幅（ＷQ）を狭くした弱粘着部（Ｑ）を、長手方向に沿って交互に設けたことを特徴とする。
【００１５】
また、請求項６に係る発明は、請求項５に記載の発明において、前記剥離誘導部（Ｘ）に隣接した長手方向中央側において、前記粘着板（１）の一方の面の強粘着部（Ｐ）の裏側には他方の面の弱粘着部（Ｑ）が位置し、前記粘着板（１）の一方の面の弱粘着部（Ｑ）の裏側には他方の面の強粘着部（Ｐ）が位置することを特徴とする。
【００１６】
なお、括弧内の記号は、発明を実施するための最良の形態および図面に記載された対応要素または対応事項を示す。
【発明の効果】
【００１７】
請求項１に記載の発明のラップフィルム引出具によれば、ラップフィルムに粘着可能な粘着板の長手方向に沿って延びる長辺側の端縁が本体部から突出しているので、この長辺側の端縁をラップフィルムの引き出し側の端縁に粘着させて、ラップフィルムを収納箱からスムーズに引き出すことができる。
また、本体部が粘着板を表面及び裏面の両側から挟持することにより、粘着板のラップフィルムに対する粘着面と、これに平行な本体部の外表面の間に段差が生じるので、ラップフィルムを引き出した後でラップフィルム引出具を容易に引き剥がすことができる。
【００１８】
また、請求項２に記載の発明によれば、請求項１に記載の発明の作用効果に加えて、粘着板の本体部からの突出幅を粘着板の表面と裏面とで異なるようにすることができる。そのため、突出幅を広くした面をラップフィルムに粘着させ、突出幅を狭くした面で上から押えることができるので、粘着板を確実にラップフィルムに粘着させることができる。
【００１９】
また、請求項３に記載の発明によれば、請求項１又は請求項２に記載の発明の作用効果に加えて、粘着板の本体部からの突出幅を、粘着板の長辺側の端縁の至端に向けて基準幅より徐々に狭くして、粘着力を徐々に弱くすることができる。そのため、この部分を剥離誘導部とすることにより、ラップフィルム引出具をラップフィルムから引き剥がす際の剥がし始めが容易となる。
【００２０】
また、請求項４に記載の発明によれば、請求項３に記載の発明の作用効果に加えて、突出幅を基準幅より広くした強粘着部を設けて、ラップフィルムへの粘着力を高めることができる。特に、強粘着部を剥離誘導部に隣接した長手方向中央側に設けることにより、ラップフィルム引出具の両端に近い部分でラップフィルムを安定的に保持することができる。
さらに、強粘着部以外の長手方向中央周辺は粘着力を高めていないので、引き剥がすときに妨げとならない。
【００２１】
また、請求項５に記載の発明によれば、請求項３に記載の発明の作用効果に加えて、突出幅を広くした強粘着部と突出幅を狭くした弱粘着部を、長手方向に沿って交互に設けて、ラップフィルム引出具でラップフィルムを安定的に保持することができる。
さらに、引き剥がす場合にも、強粘着部と弱粘着部が交互に現れて容易に行うことができる。
【００２２】
また、請求項６に記載の発明によれば、請求項５に記載の発明の作用効果に加えて、剥離誘導部に隣接した長手方向中央側において、粘着板の一方の面の強粘着部の裏側には他方の面の弱粘着部が位置し、粘着板の一方の面の弱粘着部の裏側には他方の面の強粘着部が位置するように構成することができる。そのため、剥離誘導部に隣接した長手方向中央側において、突出幅を広くした強粘着部をラップフィルムに粘着させ、突出幅を狭くした弱粘着部で上から押えることができるので、粘着板を確実にラップフィルムに粘着させることができる。
【発明を実施するための最良の形態】
【００２３】
次に、図１乃至図４を参照して、本発明の実施形態１に係るラップフィルム引出具の構成について説明する。
【００２４】
図１は、実施形態１に係るラップフィルム引出具１０の平面図であり、図２は、図１のＡ−Ａ拡大断面図である。
図１及び図２に示すように、ラップフィルム引出具１０は、ラップフィルムに粘着可能な粘着板１と、粘着板１をその長手方向に沿って延びる長辺側の端縁１ａが突出するように表面及び裏面の両側から挟持する本体部２から構成されている。
【００２５】
長辺側の端縁１ａは、平板状の粘着板１の一方の長辺に対応する部分であり、反対側の他方の長辺は本体部２に挟持されて本体部２の中に埋設されている。
また、粘着板１の材質は、ラップフィルムに粘着可能であれば限定されないが、弾力性のある材質のものを用いれば、ラップフィルム３との粘着時に粘着板１の突出部分が湾曲することにより粘着しやすくなる。特にウレタンゲルを用いれば、ほこりや異物の付着により粘着力が低下しても、水で洗い流し乾燥させるだけで簡単に復元できるので好ましい。
【００２６】
一方、本体部２は、図３の本体部による挟持前の断面図に示すように、プラスチック製や木製等の二枚の挟持板２ａ，２ｂを左右に開閉可能に接続することにより構成されている。そして、二枚の挟持板２ａ，２ｂが粘着板１を両側から挟み込んでいる。
なお、挟持板２ａ，２ｂは、一旦固定した後も随時開閉可能な構成としておけば、経年劣化に対応して、粘着板１の上下をひっくり返して使用することが可能となり好ましい。
また、本実施形態のような二枚の挟持板２ａ，２ｂで挟持する構成でなくとも、例えば粘着板１の形状に合わせて本体部２に設けられた凹部に、粘着板１が差し込まれているような構成であってもよい。
【００２７】
ここで、図２の要部拡大図である図４を参照して、粘着板１の長辺側の端縁１ａの突出部分について詳細に説明する。
粘着板１は、本体部２の挟持板２ａ，２ｂにより挟持されており、長辺側の端縁１ａが本体部２から突出するようになっている。
このとき、突出した長辺側の端縁１ａのラップフィルムと粘着する面Ｓ1と、本体部２の挟持板２ａの外表面Ｓ2（粘着板１を挟持する面の反対側の面）との間には、段差Ｔ2が生じている。後述するように、この段差Ｔ2を設けることにより、粘着したラップフィルムを容易に剥がすことができるようになる。段差Ｔ2は、ラップフィルムを粘着させたときに、粘着面Ｓ1から外表面Ｓ2にかけてラップフィルムが浮き上がるような大きさとすることが好ましい。例えば、粘着板１の厚さＴ1よりも大きくするとよい。なお、挟持板２ｂの側についても同様に、段差が生じている。
【００２８】
次に、図５及び図６を参照して、実施形態１に係るラップフィルム引出具１０の使用方法について説明する。図５は、ラップフィルム引出具１０の使用状態を示した斜視図であり、図６は、図５のＢ−Ｂ拡大断面図である。
【００２９】
最初に、図５に示すように、ラップフィルム３の引き出し側の端縁３ａに、ラップフィルム引出具１０の裏面を粘着させる。このとき、図６に示すように、ラップフィルム３の引き出し側の端縁３ａは、粘着板１の長辺側の端縁１ａの粘着面Ｓ1に粘着するとともに、さらに段差Ｔ2を乗り越えて本体部２の挟持板２ａの外表面Ｓ2に接している。その結果、ラップフィルム３とラップフィルム引出具１０の間に隙間Ｇが生じている。
【００３０】
この状態で、ラップフィルム引出具１０を引っ張って、ラップフィルム３を必要な長さだけ引き出し料理皿等を覆った後、ラップフィルム収納箱４に取付けられた刃５により切断する。
そして、ラップフィルム引出具１０をラップフィルム３から引き剥がす。このとき、前述の段差Ｔ2と隙間Ｇが存在することにより、ラップフィルム３を隙間Ｇの部分を起点として容易に引き剥がすことができる。
最後に、ラップフィルム３を料理皿等の形状に合わせて整えて、ラッピングが完了する。
【００３１】
なお、実施形態１においては、挟持板２ａの外表面Ｓ2が粘着板１の粘着面Ｓ1に緩やかに接続されるように、挟持板２ａの先端部分の形状を丸めている。こうすることで、ラップフィルム３の段差Ｔ2における変化も緩やかとなり、粘着板１に粘着しやすくなる。反対に、挟持板２ａの先端部分の形状を角張らせれば、ラップフィルム３の段差Ｔ2における変化が急激になり、粘着板１に粘着しにくくなる。従って、挟持板２ａの先端部分の形状を変化させて、必要な粘着力を得ることができる。
【００３２】
また、ラップフィルム引出具１０は、使用後に再びラップフィルム３に粘着させて、そのまま収納箱４に挟み込んでおけば、収納場所に困らず次に使用する際にも便利である。
【００３３】
実施形態１に係るラップフィルム引出具１０によれば、ラップフィルム３に粘着可能な粘着板１の長手方向に沿って延びる長辺側の端縁１ａが本体部２から突出しているので、この長辺側の端縁１ａをラップフィルム３の引き出し側の端縁３ａに粘着させて、ラップフィルム３を収納箱４からスムーズに引き出すことができる。
また、本体部２が粘着板１を表面及び裏面の両側から挟持することにより、粘着板１のラップフィルム３に対する粘着面Ｓ1と、これに平行な本体部２の外表面Ｓ2の間に段差Ｔ2が生じるので、ラップフィルム３を引き出した後でラップフィルム引出具１０を容易に引き剥がすことができる。
【００３４】
次に、図７を参照して、本発明の実施形態２に係るラップフィルム引出具の構成について説明する。図７は、実施形態２に係るラップフィルム引出具２０の断面図である。
【００３５】
ラップフィルム引出具２０は、実施形態１に係るラップフィルム引出具１０と同様に、ラップフィルムに粘着可能な粘着板１と、粘着板１をその長手方向に沿って延びる長辺側の端縁１ａが突出するように表面及び裏面の両側から挟持する本体部２から構成されている。
【００３６】
ただし、ラップフィルム引出具２０においては、本体部２の挟持板２ａと挟持板２ｂの形状が異なり、そのため粘着板１の本体部２からの突出幅が、粘着板１の表面と裏面（挟持板２ａ側と挟持板２ｂ側）とで異なっている。即ち、図７の上下方向において、挟持板２ａの方が挟持板２ｂよりも短いため、挟持板２ａ側の突出幅の方が広くなっているのである。
ラップフィルム引出具２０を使用する場合、突出幅の広い挟持板２ａ側の面をラップフィルム３に粘着させ、反対側の挟持板２ｂ側の面で押えることにより行う。
【００３７】
実施形態２に係るラップフィルム引出具２０によれば、粘着板１の本体部２からの突出幅を粘着板１の表面と裏面とで異なるようにすることができる。そのため、突出幅を広くした面をラップフィルム３に粘着させ、突出幅を狭くした面で上から押えることができるので、粘着板１を確実にラップフィルム３に粘着させることができる。
【００３８】
次に、図８及び図９を参照して、本発明の実施形態３に係るラップフィルム引出具の構成について説明する。図８は、実施形態３に係るラップフィルム引出具３０の平面図であり、図９は、図８の左側部分の拡大図である。
【００３９】
ラップフィルム引出具３０は、実施形態１に係るラップフィルム引出具１０と同様に、ラップフィルムに粘着可能な粘着板１と、粘着板１をその長手方向に沿って延びる長辺側の端縁１ａが突出するように表面及び裏面の両側から挟持する本体部２から構成されている。
【００４０】
ただし、ラップフィルム引出具３０においては、両端に剥離誘導部Ｘを設けた点が異なっている。
図９に示すように、剥離誘導部Ｘは、粘着板１の本体部２からの突出幅ＷXが長辺側の端縁１ａの至端に向けて、剥離誘導部Ｘ以外の部分の基準幅Ｗ0より徐々に狭くなるように設けられている。そして、最終的に突出幅がゼロとなるように構成されている。
従って、粘着板１の粘着力は長辺側の端縁１ａの至端（外側）に向けて徐々に弱くなっている。
なお、本実施形態では、剥離誘導部Ｘを両端に設けたが、片方のみに設けてもよい。その場合、剥離誘導部Ｘを設けた方からラップフィルム３を剥がし始めるようにすればよい。
【００４１】
実施形態３に係るラップフィルム引出具３０によれば、粘着板１の本体部２からの突出幅ＷXを、粘着板１の長辺側の端縁１ａの至端に向けて基準幅Ｗ0より徐々に狭くして、粘着力を徐々に弱くすることができる。そのため、この部分を剥離誘導部Ｘとすることにより、ラップフィルム引出具３０をラップフィルム３から引き剥がす際の剥がし始めが容易となる。ラップフィルム３を引き剥がすときは、剥がし始めに最も力が加わるため、剥離誘導部Ｘを設けることが効果的となるものである。
【００４２】
次に、図１０及び図１１を参照して、本発明の実施形態４に係るラップフィルム引出具の構成について説明する。図１０は、実施形態４に係るラップフィルム引出具４０の平面図であり、図１１は、図１０の左側部分の拡大図である。
【００４３】
ラップフィルム引出具４０は、実施形態３に係るラップフィルム引出具３０と同様に、ラップフィルムに粘着可能な粘着板１と、粘着板１をその長手方向に沿って延びる長辺側の端縁１ａが突出するように表面及び裏面の両側から挟持する本体部２から構成されるとともに、両端に剥離誘導部Ｘが設けられている。
【００４４】
さらに、ラップフィルム引出具４０においては、剥離誘導部Ｘに隣接した長手方向中央側に強粘着部Ｙが設けられている。
図１１に示すように、強粘着部Ｙは、粘着板１の本体部２からの突出幅ＷYが強粘着部Ｙ以外の部分の基準幅Ｗ0より広くなるように設けられている。
従って、強粘着部Ｙにおける粘着板１の粘着力は、周辺部分と比べて強くなっている。
【００４５】
実施形態４に係るラップフィルム引出具４０によれば、突出幅ＷYを基準幅Ｗ0より広くした強粘着部Ｙを設けて、ラップフィルム３への粘着力を高めることができる。特に、強粘着部Ｙを剥離誘導部Ｘに隣接した長手方向中央側に設けることにより、ラップフィルム引出具４０の両端に近い部分でラップフィルム３を安定的に保持することができる。
さらに、強粘着部Ｙ以外の長手方向中央周辺は粘着力を高めていないので、引き剥がすときに妨げとならない。
【００４６】
次に、図１２を参照して、本発明の実施形態５に係るラップフィルム引出具の構成について説明する。図１２は、実施形態５に係るラップフィルム引出具５０の平面図である。
【００４７】
ラップフィルム引出具５０は、実施形態３に係るラップフィルム引出具３０と同様に、ラップフィルムに粘着可能な粘着板１と、粘着板１をその長手方向に沿って延びる長辺側の端縁１ａが突出するように表面及び裏面の両側から挟持する本体部２から構成されるとともに、両端に剥離誘導部Ｘが設けられている。
【００４８】
さらに、ラップフィルム引出具５０においては、長手方向に沿って強粘着部Ｐと弱粘着部Ｑが交互に設けられ、本体部２の挟持板２ａと挟持板２ｂの上端が波形となっている。
図１２に示すように、強粘着部Ｐは粘着板１の本体部２からの突出幅ＷPが広くなるように、弱粘着部Ｑは突出幅ＷQが狭くなるようにそれぞれ設けられている。
従って、強粘着部Ｐでは粘着力が強く、弱粘着部Ｑでは粘着力が弱い。
【００４９】
実施形態５に係るラップフィルム引出具５０によれば、突出幅ＷPを広くした強粘着部Ｐと突出幅ＷQを狭くした弱粘着部Ｑを、長手方向に沿って交互に設けて、ラップフィルム引出具５０でラップフィルム３を安定的に保持することができる。
さらに、引き剥がす場合にも、強粘着部Ｐと弱粘着部Ｑが交互に現れて容易に行うことができる。
【００５０】
次に、図１３を参照して、本発明の実施形態６に係るラップフィルム引出具の構成について説明する。図１３は、実施形態６に係るラップフィルム引出具６０の平面図である。
【００５１】
ラップフィルム引出具６０は、実施形態５に係るラップフィルム引出具５０と同様に、ラップフィルムに粘着可能な粘着板１と、粘着板１をその長手方向に沿って延びる長辺側の端縁１ａが突出するように表面及び裏面の両側から挟持する本体部２から構成されるとともに、両端に剥離誘導部Ｘが設けられ、また長手方向に沿って強粘着部Ｐと弱粘着部Ｑが交互に設けられている。
【００５２】
さらに、ラップフィルム引出具６０においては、剥離誘導部Ｘに隣接した長手方向中央側の部分において、本体部２の挟持板２ａと挟持板２ｂの上端の波形が左右方向にずれている。そのため、挟持板２ａ側の強粘着部Ｐの裏側には挟持板２ｂ側の弱粘着部Ｑが位置し、挟持板２ａ側の弱粘着部Ｑの裏側には挟持板２ｂ側の強粘着部Ｐが位置するようになっている。
【００５３】
実施形態６に係るラップフィルム引出具６０によれば、剥離誘導部Ｘに隣接した長手方向中央側において、粘着板１の一方の面の強粘着部Ｐの裏側には他方の面の弱粘着部Ｑが位置し、粘着板１の一方の面の弱粘着部Ｑの裏側には他方の面の強粘着部Ｐが位置するように構成することができる。そのため、剥離誘導部Ｘに隣接した長手方向中央側において、突出幅ＷPを広くした強粘着部Ｐをラップフィルム３に粘着させ、突出幅ＷQを狭くした弱粘着部Ｑで上から押えることができるので、粘着板１を確実にラップフィルム３に粘着させることができる。
【図面の簡単な説明】
【００５４】
【図１】本発明の実施形態１に係るラップフィルム引出具の平面図である。
【図２】図１のＡ−Ａ拡大断面図である。
【図３】実施形態１に係るラップフィルム引出具の本体部による挟持前の断面図である。
【図４】図２の要部拡大図である。
【図５】実施形態１に係るラップフィルム引出具の使用状態を示す斜視図である。
【図６】図６のＢ−Ｂ拡大断面図である。
【図７】実施形態２に係るラップフィルム引出具の断面図である。
【図８】実施形態３に係るラップフィルム引出具の平面図である。
【図９】図８の要部拡大図である。
【図１０】実施形態４に係るラップフィルム引出具の平面図である。
【図１１】図１０の要部拡大図である。
【図１２】実施形態５に係るラップフィルム引出具の平面図である。
【図１３】実施形態６に係るラップフィルム引出具の平面図である。
【図１４】従来例に係るラップフィルム引出具の使用状態を示す斜視図である。
【図１５】図１４のＣ−Ｃ拡大断面図である。
【符号の説明】
【００５５】
１      粘着板
１ａ      長辺側の端縁
２      本体部
２ａ      挟持板
２ｂ      挟持板
３      ラップフィルム
３ａ      引き出し側の端縁
４      収納箱
５      刃
１０      ラップフィルム引出具
２０      ラップフィルム引出具
３０      ラップフィルム引出具
４０      ラップフィルム引出具
５０      ラップフィルム引出具
６０      ラップフィルム引出具
１００      ラップフィルム引出具
１０１      粘着層
１０２      本体部
Ｘ      剥離誘導部
Ｙ      強粘着部
Ｐ      強粘着部
Ｑ      弱粘着部
【図１】
2007015722.tif 000003
【図２】
2007015722.tif 000004
【図３】
2007015722.tif 000005
【図４】
2007015722.tif 000006
【図５】
2007015722.tif 000007
【図６】
2007015722.tif 000008
【図７】
2007015722.tif 000009
【図８】
2007015722.tif 000010
【図９】
2007015722.tif 000011
【図１０】
2007015722.tif 000012
【図１１】
2007015722.tif 000013
【図１２】
2007015722.tif 000014
【図１３】
2007015722.tif 000015
【図１４】
2007015722.tif 000016
【図１５】
2007015722.tif 000017